(57)【特許請求の範囲】
【請求項１】
複数の発電セルが積層されるとともに、積層方向に沿って少なくとも燃料ガス又は酸化剤ガスである反応ガスを供給する反応ガス供給連通孔が設けられる燃料電池スタックと、
前記反応ガス供給連通孔に前記反応ガスを導入するとともに、前記燃料電池スタックから排出される使用済み反応ガスを前記反応ガス供給連通孔に戻すエゼクタが設けられる反応ガス供給機構と、
を備え、
前記反応ガス供給機構は、前記エゼクタと前記反応ガス供給連通孔とを連通する連結部位に、前記反応ガスを整流するための整流部材を配置するとともに、
前記整流部材は、前記燃料電池スタックの一方の端部に配設されるエンドプレートの外方に設けられ、前記反応ガス供給連通孔に連通するマニホールド部と、前記発電セルの積層方向に向かって前記反応ガスを吐出する前記エゼクタの反応ガス吐出部とを繋ぐ円筒状部材であり、
前記整流部材を構成する壁面には、前記エゼクタと前記反応ガス供給連通孔とを連通する複数の開口部が設けられることを特徴とする燃料電池システム。
【請求項２】
請求項１記載の燃料電池システムにおいて、前記反応ガスは、燃料ガスであるとともに、
前記反応ガス供給連通孔は、燃料ガス供給連通孔であることを特徴とする燃料電池システム。
【発明の詳細な説明】
【技術分野】
【０００１】
本発明は、複数の発電セルが積層される燃料電池スタックと、前記燃料電池スタック内に反応ガスを導入するとともに、前記燃料電池スタックから排出される使用済み反応ガスを前記燃料電池スタックに戻すエゼクタが設けられる反応ガス供給機構とを備える燃料電池システムに関する。
【背景技術】
【０００２】
例えば、固体高分子型燃料電池は、高分子イオン交換膜からなる電解質膜（電解質）の両側に、それぞれアノード側電極及びカソード側電極を配設した電解質膜・電極構造体（電解質・電極構造体）を、セパレータによって挟持した発電セルを備えている。この種の燃料電池は、通常、所定の数の発電セルを積層することにより、燃料電池スタックとして使用されている。
【０００３】
ところで、燃料電池では、水素ガス等の燃料ガスがアノード側電極に供給されるとともに、発電に使用されない未反応の燃料ガスを含む燃料オフガスが、前記燃料電池から排出されている。従って、経済性を考慮し、燃料ガスの有効利用を図るため、燃料オフガスを、燃料ガスとしてアノード側電極に再度供給することが行われている。
【０００４】
例えば、特許文献１に開示されている燃料電池システムは、図１５に示すように、水素供給装置１から燃料電池２（複数の発電セル２ａの積層体）に水素を供給するための水素供給経路３と、前記燃料電池２から排出されるオフガスを前記水素供給経路３に合流させ、前記燃料電池２に再循環させるオフガス循環経路４と、オフガスを前記オフガス循環経路４に循環させるとともに、オフガスの循環量を制御可能であり、さらにオフガスを主供給水素に混合するエジェクタポンプ５と、前記エジェクタポンプ５の吐出圧を検出する圧力センサ６とを設けている。
【０００５】
【特許文献１】特開２００４−９５５２８号公報
【発明の開示】
【発明が解決しようとする課題】
【０００６】
ところで、エジェクタポンプ５が燃料電池２の近傍に配置される際、前記エジェクタポンプ５から前記燃料電池２の水素供給連通孔内には、水素が高圧で吐出されるため、前記水素供給連通孔内に静圧分布が発生し易い。これにより、燃料電池２内では、特に水素入口側に位置する発電セル２ａに対して水素が十分に供給されず、発電性能が低下するという問題がある。
【０００７】
本発明はこの種の要請に対応してなされたものであり、燃料電池スタック内に積層されている各発電セルに対し、反応ガスを均一且つ確実に分配供給することが可能な燃料電池システムを提供することを目的とする。
【課題を解決するための手段】
【０００８】
本発明に係る燃料電池システムは、複数の発電セルが積層されるとともに、積層方向に沿って少なくとも燃料ガス又は酸化剤ガスである反応ガスを供給する反応ガス供給連通孔が設けられる燃料電池スタックと、前記反応ガス供給連通孔に前記反応ガスを導入するとともに、前記燃料電池スタックから排出される使用済み反応ガスを前記反応ガス供給連通孔に戻すエゼクタが設けられる反応ガス供給機構とを備えている。
【０００９】
反応ガス供給機構は、エゼクタと反応ガス供給連通孔とを連通する連通部位に、反応ガスを整流するための整流部材を配置している。
【００１０】
また、整流部材は、燃料電池スタックの一方の端部に配設されるエンドプレートの外方に設けられ、反応ガス供給連通孔に連通するマニホールド部と、発電セルの積層方向に向かって反応ガスを吐出するエゼクタの反応ガス吐出部とを繋ぐ円筒状部材であり、前記整流部材を構成する壁面には、前記エゼクタと前記反応ガス供給連通孔とを連通する複数の開口部が設けられている。
【００１２】
さらにまた、反応ガスは、燃料ガスであるとともに、反応ガス供給連通孔は、燃料ガス供給連通孔であることが好ましい。
【発明の効果】
【００１３】
本発明によれば、エゼクタから燃料電池スタックの反応ガス供給連通孔に反応ガスが吐出される際、前記エゼクタと前記反応ガス供給連通孔との連結部位に配置されている整流部材の作用下に、前記反応ガスが整流されている。
【００１４】
このため、反応ガスの流速が低下するとともに、反応ガス供給連通孔内での静圧分布が改善される。これにより、燃料電池スタック内に積層されている各発電セルに対し、反応ガスを均一且つ確実に分配供給することが可能になり、発電性能及び起動性が有効に向上する。
【発明を実施するための最良の形態】
【００１５】
図１は、本発明の第１の実施形態に係る燃料電池システム１０の概略構成図である。
【００１６】
燃料電池システム１０は、図示しない燃料電池車両に搭載されており、燃料電池スタック１４と、前記燃料電池スタック１４に冷却媒体を供給するための冷却媒体供給機構１６と、前記燃料電池スタック１４に酸化剤ガス（反応ガス）を供給するための酸化剤ガス供給機構１８と、前記燃料電池スタック１４に燃料ガス（反応ガス）を供給するための燃料ガス供給機構（反応ガス供給機構）２０とを備える。
【００１７】
冷却媒体供給機構１６は、ラジエータ２４を備える。このラジエータ２４には、冷媒用ポンプ２６を介して冷却媒体供給配管２８と、冷却媒体排出配管３０とが接続される。
【００１８】
酸化剤ガス供給機構１８は、冷媒用ポンプ２６に近接して配置される空気用ポンプ３２を備える。この空気用ポンプ３２に一端が接続される空気供給配管３４は、加湿器３６に他端が接続されるとともに、この加湿器３６には、加湿空気供給配管３８を介して燃料電池スタック１４が接続される。燃料電池スタック１４と加湿器３６とには、使用済みの酸化剤ガス（以下、オフガスという）を加湿流体として供給するためのオフガス供給配管４０が接続される。加湿器３６では、オフガス供給配管４０を介して供給されたオフガスの排出側に、背圧弁４２が配設される。
【００１９】
燃料ガス供給機構２０は、燃料ガスとして水素ガスが貯留される燃料ガスタンク４４を備える。この燃料ガスタンク４４には、燃料ガスパイプ４５の一端が接続され、前記燃料ガスパイプ４５は、遮断弁４６、レギュレータ４８及びエゼクタ５０を介して燃料電池スタック１４に接続される。
【００２０】
燃料電池スタック１４には、使用済みの燃料ガスが排出される排出燃料ガス配管５２が接続される。この排出燃料ガス配管５２は、リターン配管５４を介してエゼクタ５０に接続されるとともに、一部がパージ弁５６に連通する。
【００２１】
燃料電池スタック１４は、複数の発電セル６０が水平方向（図２中、矢印Ａ方向）に積層されるとともに、積層方向の両端には、図示しないが、ターミナルプレート及び絶縁プレートを介して金属製エンドプレート６２ａ、６２ｂが配設される（図１参照）。燃料電池スタック１４は、例えば、エンドプレート６２ａ、６２ｂを端板とするケーシング（図示せず）、又は前記エンドプレート６２ａ、６２ｂ間を締結するタイロッド（図示せず）を備える。
【００２２】
ターミナルプレートに電力取り出し端子６３ａ、６３ｂが設けられており、エンドプレート６２ａ、６２ｂから積層方向外方に前記電力取り出し端子６３ａ、６３ｂが突出し、前記電力取り出し端子６３ａ、６３ｂは、図示しない走行用モータや補機類に接続される。
【００２３】
図２に示すように、各発電セル６０は、電解質膜・電極構造体６６と、前記電解質膜・電極構造体６６を挟持する第１及び第２セパレータ６８、７０とを備えるとともに、縦長に構成される。なお、第１及び第２セパレータ６８、７０は、カーボンセパレータ又は金属セパレータで構成される。
【００２４】
発電セル６０の長辺方向（矢印Ｃ方向）の一端縁部（上端縁部）には、矢印Ａ方向に互いに連通して、酸化剤ガス、例えば、酸素含有ガスを供給するための酸化剤ガス供給連通孔７２ａ、及び燃料ガス、例えば、水素含有ガスを供給するための燃料ガス供給連通孔（反応ガス供給連通孔）７６ａが設けられる。
【００２５】
発電セル６０の長辺方向の他端縁部（下端縁部）には、矢印Ａ方向に互いに連通して、酸化剤ガスを排出するための酸化剤ガス排出連通孔７２ｂ及び燃料ガスを排出するための燃料ガス排出連通孔７６ｂが設けられる。
【００２６】
発電セル６０の短辺方向（矢印Ｂ方向）の一端縁部には、冷却媒体を供給するための冷却媒体供給連通孔７４ａが設けられるとともに、前記発電セル６０の短辺方向の他端縁部には、冷却媒体を排出するための冷却媒体排出連通孔７４ｂが設けられる。冷却媒体供給連通孔７４ａ及び冷却媒体排出連通孔７４ｂは、縦長形状に設定される。
【００２７】
電解質膜・電極構造体６６は、例えば、パーフルオロスルホン酸の薄膜に水が含浸された固体高分子電解質膜７８と、前記固体高分子電解質膜７８を挟持するアノード側電極８０及びカソード側電極８２とを備える。
【００２８】
第１セパレータ６８の電解質膜・電極構造体６６に向かう面６８ａには、燃料ガス供給連通孔７６ａと燃料ガス排出連通孔７６ｂとを連通する燃料ガス流路８４が形成される。この燃料ガス流路８４は、例えば、矢印Ｃ方向に延在する溝部により構成される。第１セパレータ６８の面６８ａとは反対の面６８ｂには、冷却媒体供給連通孔７４ａと冷却媒体排出連通孔７４ｂとを連通する冷却媒体流路８６が形成される。この冷却媒体流路８６は、矢印Ｂ方向に延在する溝部により構成される。
【００２９】
第２セパレータ７０の電解質膜・電極構造体６６に向かう面７０ａには、例えば、矢印Ｃ方向に延在する溝部からなる酸化剤ガス流路８８が設けられるとともに、この酸化剤ガス流路８８は、酸化剤ガス供給連通孔７２ａと酸化剤ガス排出連通孔７２ｂとに連通する。第２セパレータ７０の面７０ａとは反対の面７０ｂには、第１セパレータ６８の面６８ｂと重なり合って冷却媒体流路８６が一体的に形成される。図示しないが、第１及び第２セパレータ６８、７０には、必要に応じてシール部材が設けられる。
【００３０】
図３に示すように、エンドプレート６２ｂには、樹脂製マニホールド部材９０が装着される。このマニホールド部材９０は、燃料ガス供給連通孔７６ａに連通し、前記燃料ガス供給連通孔７６ａの形状に対応する非円形状筒部９２ａと、エンドプレート６２ｂの外方に突出する円形状筒部９２ｂとを一体に有する。
【００３１】
エゼクタ５０は、本体部９４と筒状部９６とを備え、前記本体部９４には、ノズル９８及びディフューザ１００が収容される。本体部９４には、オフガス通路１０４が形成される。ノズル９８は、燃料ガスパイプ４５に連通する燃料ガス通路１０６を設け、この燃料ガス通路１０６は、前記ノズル９８の先端に設けられる噴射口１１０からディフューザ１００内に開放される。
【００３２】
オフガス通路１０４には、リターン配管５４が連通するとともに、ディフューザ１００の外周に形成される孔部１１２を介して吸引室１１４に連通する。吸引室１１４は、先端側に向かって縮径した後、流れ方向下流に向かって連続的に拡径する吐出通路１１６に連通する。
【００３３】
筒状部９６の先端と、マニホールド部材９０の円形状筒部９２ｂとを連結する連結部位には、整流部材１２０が配置される。図３及び図４に示すように、整流部材１２０は、円筒状部材であり、大径部１２２と小径部１２４とを一体的に有する。
【００３４】
大径部１２２及び小径部１２４には、それぞれ周溝１２６ａ、１２６ｂが形成される。大径部１２２は、周溝１２６ａにＯリング１２８ａを配設してエゼクタ５０の筒状部９６に嵌合する一方、小径部１２４は、周溝１２６ｂにＯリング１２８ｂを配設してマニホールド部材９０の円形状筒部９２ｂに嵌合する。
【００３５】
整流部材１２０の内周面には、円板状壁面を切り欠くことにより、互いに９０°の角度をなす仕切り壁部１３０が形成されるとともに、各仕切り壁部１３０間には、扇形状の４つの開口部１３２が形成される。
【００３６】
このように構成される燃料電池システム１０の動作について、以下に説明する。
【００３７】
先ず、図１に示すように、酸化剤ガス供給機構１８を構成する空気用ポンプ３２が駆動され、酸化剤ガスである外部空気が吸引されて空気供給配管３４に導入される。この空気は、空気供給配管３４から加湿器３６内に導入され、加湿空気供給配管３８に供給される。
【００３８】
その際、オフガス供給配管４０には、後述するように、反応に使用された酸化剤ガスであるオフガスが供給されている。このため、使用前の空気には、オフガス中に含まれる水分が移動し、この使用前の空気が加湿される。加湿された空気は、加湿空気供給配管３８からエンドプレート６２ｂを通って燃料電池スタック１４内の酸化剤ガス供給連通孔７２ａに供給される。
【００３９】
一方、燃料ガス供給機構２０では、遮断弁４６の開放作用下に、燃料ガスタンク４４内の燃料ガス（水素ガス）がレギュレータ４８で降圧された後、エゼクタ５０からエンドプレート６２ｂを通って燃料電池スタック１４内の燃料ガス供給連通孔７６ａに導入される。
【００４０】
さらに、冷却媒体供給機構１６では、冷媒用ポンプ２６の作用下に、冷却媒体供給配管２８からエンドプレート６２ａを通って燃料電池スタック１４内の冷却媒体供給連通孔７４ａに冷却媒体が導入される。
【００４１】
図２に示すように、燃料電池スタック１４内の各発電セル６０に供給された空気は、酸化剤ガス供給連通孔７２ａから第２セパレータ７０の酸化剤ガス流路８８に導入され、電解質膜・電極構造体６６のカソード側電極８２に沿って移動する。一方、燃料ガスは、燃料ガス供給連通孔７６ａから第１セパレータ６８の燃料ガス流路８４に導入され、電解質膜・電極構造体６６のアノード側電極８０に沿って移動する。
【００４２】
従って、各電解質膜・電極構造体６６では、カソード側電極８２に供給される空気中の酸素と、アノード側電極８０に供給される燃料ガス（水素）とが、電極触媒層内で電気化学反応により消費され、発電が行われる。
【００４３】
次いで、カソード側電極８２に供給されて消費された空気は、酸化剤ガス排出連通孔７２ｂに沿って流動した後、オフガスとしてエンドプレート６２ｂからオフガス供給配管４０に排出される（図１参照）。
【００４４】
同様に、アノード側電極８０に供給されて消費された燃料ガスは、燃料ガス排出連通孔７６ｂに排出されて流動し、排出燃料ガスとしてエンドプレート６２ｂから排出燃料ガス配管５２に排出される（図１参照）。排出燃料ガス配管５２に排出された排出燃料ガスは、一部がリターン配管５４を通ってエゼクタ５０の吸引作用下に新たな燃料ガスに混在し、燃料電池スタック１４内に供給される。残余の排出燃料ガスは、パージ弁５６の開放作用下に排出される。
【００４５】
また、冷却媒体は、図２に示すように、冷却媒体供給連通孔７４ａから第１及び第２セパレータ６８、７０間の冷却媒体流路８６に導入された後、矢印Ｂ方向に沿って流動する。この冷却媒体は、電解質膜・電極構造体６６を冷却した後、冷却媒体排出連通孔７４ｂを移動してエンドプレート６２ａから冷却媒体排出配管３０に排出される。この冷却媒体は、図１に示すように、ラジエータ２４により冷却された後、冷媒用ポンプ２６の作用下に冷却媒体供給配管２８から燃料電池スタック１４に供給される。
【００４６】
この場合、第１の実施形態では、図３に示すように、燃料ガスパイプ４５からノズル９８の燃料ガス通路１０６に供給される燃料ガスは、前記ノズル９８の先端に設けられている噴射口１１０からディフューザ１００に噴射される。このため、吸引室１１４に負圧が発生し、リターン配管５４からオフガス通路１０４を介してこの吸引室１１４に排出燃料ガスが吸引される。
【００４７】
従って、ノズル９８から噴射された燃料ガスに排出燃料ガスが混合され、この混合された燃料ガスは、ディフューザ１００の吐出通路１１６から燃料ガス供給連通孔７６ａに向かって吐出される。
【００４８】
その際、エゼクタ５０とエンドプレート６２ｂとの間には、整流部材１２０が配置されている。この整流部材１２０は、吐出通路１１６と燃料ガス供給連通孔７６ａとの間に、仕切り壁部１３０を介して、複数、例えば４つの開口部１３２を設けている。このため、吐出通路１１６から吐出される燃料ガスは、４つの開口部１３２を通過することにより整流された後、燃料ガス供給連通孔７６ａに供給される。
【００４９】
これにより、比較的高速で吐出通路１１６から吐出される燃料ガスは、整流部材１２０の整流作用下に流速が低下し、燃料ガス供給連通孔７６ａ内での静圧分布が改善される。このため、燃料電池スタック１４を構成する複数の発電セル６０に対し、燃料ガスを均一且つ確実に分配供給することが可能になり、発電性能及び起動性を有効に向上させることができるという効果が得られる。
【００５０】
特に、燃料ガスが最も入り難いエゼクタ５０側の端部発電セル６０に対して、前記燃料ガスを確実に分配供給することが可能になる。
【００５１】
しかも、エゼクタ５０からエンドプレート６２ｂに吐出される燃料ガスの流速が低下されるため、前記エゼクタ５０と燃料電池スタック１４とを一体に配置させることができる。
【００５２】
なお、第１の実施形態では、反応ガスとして燃料電池スタック１４に循環して供給される燃料ガスを用いて説明したが、これに限定されるものではなく、前記反応ガスとして酸化剤ガスを前記燃料電池スタック１４に循環供給する場合にも適用可能である。特に、酸化剤ガスとして純酸素が使用される際には、好適である。
【００５３】
図５は、本発明の第２の実施形態に係る燃料電池システム１４０の要部断面説明図である。なお、第１の実施形態に係る燃料電池システム１０と同一の構成要素には同一の参照符号を付して、その詳細な説明は省略する。また、以下に説明する第３〜第７の実施形態においても同様に、その詳細な説明は省略する。
【００５４】
燃料電池システム１４０は、エンドプレート６２ｂとエゼクタ５０との連結部位に配置される整流部材１４２を備える。この整流部材１４２は、円筒状部材であり、その小径部１２４側の端部には、円板状の壁面１４４が設けられるとともに、この壁面１４４には、複数の孔部（開口部）１４６が形成される（図５及び図６参照）。
【００５５】
このように構成される第２の実施形態では、ディフューザ１００から吐出される燃料ガスは、整流部材１４２の壁面１４４に当接するとともに、複数の孔部１４６を通って燃料ガス供給連通孔７６ａに供給される。このため、燃料ガスは、整流部材１４２により整流されて流速が低下し、燃料ガス供給連通孔７６ａ内での静圧分布が有効に低減される。
【００５６】
従って、第２の実施形態は、各発電セル６０に対して燃料ガスを均一且つ確実に供給することができる等、上記の第１の実施形態と同様の効果が得られる。
【００５７】
図７は、本発明の第３の実施形態に係る燃料電池システム１５０の要部断面説明図である。
【００５８】
燃料電池システム１５０は、エンドプレート６２ｂとエゼクタ５０との連結部位に配置される整流部材１５２を備える。この整流部材１５２は、円筒状部材であり、小径部１２４側の端部に円板状の壁面１５４が設けられるとともに、前記壁面１５４には、燃料ガス流れ方向から一方に傾斜する複数の傾斜孔部（開口部）１５６が設けられる（図７及び図８参照）。傾斜孔部１５６は、燃料ガス供給連通孔７６ａに向かって傾斜している。
【００５９】
このように構成される第３の実施形態では、特に、燃料ガス供給連通孔７６ａの断面形状が非円形状（異形状）に設定される際に、複数の傾斜孔部１５６を前記燃料ガス供給連通孔７６ａの形状に対応して傾斜させている。このため、整流部材１５２により整流された燃料ガスを、燃料ガス供給連通孔７６ａに向かって一層確実且つ円滑に供給することが可能になるという効果が得られる。
【００６０】
図９は、本発明の第４の実施形態に係る燃料電池システム１６０の要部断面説明図である。
【００６１】
燃料電池システム１６０は、エンドプレート６２ｂとエゼクタ５０との連結部位に配置される整流部材１６２を備える。整流部材１６２は、円筒状部材であり、小径部１２４側の端部に円板状の壁面１６４を設けるとともに、前記壁面１６４には、旋回流形成用の複数の孔部（開口部）１６６がそれぞれ所定の方向に傾斜して形成される（図９及び図１０参照）。
【００６２】
従って、このように構成される第４の実施形態では、ディフューザ１００から整流部材１６２に吐出される燃料ガスは、複数の孔部１６６を通過することにより旋回流を形成し、燃料ガス供給連通孔７６ａに供給される。このため、燃料ガス供給連通孔７６ａでは、燃料ガスが旋回しながら積層方向に移動し、静圧分布の低減を図るとともに、各発電セル６０に対して燃料ガスを均一且つ確実に供給することが可能になる。
【００６３】
図１１は、本発明の第５の実施形態に係る燃料電池システム１７０の要部断面説明図である。
【００６４】
燃料電池システム１７０は、エンドプレート６２ｂとエゼクタ５０との連結部位に配置される整流部材１７２を備える。整流部材１７２は、円筒状部材であり、小径部１２４の先端部に、さらに縮径する有底円筒形状の円筒部１７４が一体に設けられる。円筒部１７４は、燃料ガス供給連通孔７６ａ内に突出しており、この円筒部１７４の先端縁部外周壁面には、複数の長孔（開口部）１７６が形成される（図１１及び図１２参照）。
【００６５】
このように構成される第５の実施形態では、小径部１２４から円筒部１７４が膨出形成されており、この円筒部１７４に形成された複数の長孔１７６は、燃料ガス供給連通孔７６ａ内に配置されている。従って、ディフューザ１００から吐出された燃料ガスは、整流部材１７２により整流されるとともに、複数の長孔１７６から燃料ガス供給連通孔７６ａに直接供給される。これにより、燃料ガス供給連通孔７６ａ内での静圧分布を有効に低減させることができ、各発電セル６０への燃料ガスの分配を均一に行うことが可能になるという効果が得られる。
【００６６】
図１３は、本発明の第６の実施形態に係る燃料電池システムを構成する整流部材１８０の斜視説明図である。
【００６７】
この整流部材１８０は、円筒状部材であり、小径部１２４の先端部に有底円筒形状の円筒部１８２が一体的に設けられる。円筒部１８２の先端縁部外周壁面には、複数の丸孔（開口部）１８４が形成される。
【００６８】
図１４は、本発明の第７の実施形態に係る燃料電池システムを構成する整流部材１９０の斜視説明図である。
【００６９】
整流部材１９０は、円筒状部材であり、小径部１２４の先端に円筒部１９２を設ける。円筒部１９２の先端には、円錐部１９４が設けられるとともに、この円錐部１９４の外周縁部壁面には、台形孔（開口部）１９６が複数形成される。
【００７０】
このように、第６及び第７の実施形態では、第５の実施形態と同様に、燃料ガス供給連通孔７６ａに対応して複数の丸孔１８４や複数の台形孔１９６が配置されている。このため、整流された燃料ガスを燃料ガス供給連通孔７６ａに良好に供給することができる等、上記の第５の実施形態と同様の効果が得られる。
【図面の簡単な説明】
【００７１】
【図１】本発明の第１の実施形態に係る燃料電池システムの概略構成図である。
【図２】前記燃料電池スタックを構成する発電セルの分解斜視説明図である。
【図３】前記燃料電池システムの要部断面説明図である。
【図４】前記燃料電池システムを構成する整流部材の斜視説明図である。
【図５】本発明の第２の実施形態に係る燃料電池システムの要部断面説明図である。
【図６】前記燃料電池システムを構成する整流部材の斜視説明図である。
【図７】本発明の第３の実施形態に係る燃料電池システムの要部断面説明図である。
【図８】前記燃料電池システムを構成する整流部材の斜視説明図である。
【図９】本発明の第４の実施形態に係る燃料電池システムの要部断面説明図である。
【図１０】前記燃料電池システムを構成する整流部材の斜視説明図である。
【図１１】本発明の第５の実施形態に係る燃料電池システムの要部断面説明図である。
【図１２】前記燃料電池システムを構成する整流部材の斜視説明図である。
【図１３】本発明の第６の実施形態に係る燃料電池システムを構成する整流部材の斜視説明図である。
【図１４】本発明の第７の実施形態に係る燃料電池システムを構成する整流部材の斜視説明図である。
【図１５】特許文献１に開示されている燃料電池システムの説明図である。
【符号の説明】
【００７２】
１０、１４０、１５０、１６０、１７０…燃料電池システム
１４…燃料電池スタック              １６…冷却媒体供給機構
１８…酸化剤ガス供給機構            ２０…燃料ガス供給機構
２８…冷却媒体供給配管              ３０…冷却媒体排出配管
３４…空気供給配管                  ３８…加湿空気供給配管
４０…オフガス供給配管              ４４…燃料ガスタンク
４５…燃料ガスパイプ                ５０…エゼクタ
５２…排出燃料ガス配管              ５４…リターン配管
６０…発電セル                      ６２ａ、６２ｂ…エンドプレート
６６…電解質膜・電極構造体          ６８、７０…セパレータ
７２ａ…酸化剤ガス供給連通孔        ７２ｂ…酸化剤ガス排出連通孔
７４ａ…冷却媒体供給連通孔          ７４ｂ…冷却媒体排出連通孔
７６ａ…燃料ガス供給連通孔          ７６ｂ…燃料ガス排出連通孔
７８…固体高分子電解質膜            ８０…アノード側電極
８２…カソード側電極                ８４…燃料ガス流路
８６…冷却媒体流路                  ８８…酸化剤ガス流路
９０…マニホールド部材              ９４…本体部
９６…筒状部                        ９８…ノズル
１００…ディフューザ                １０４…オフガス通路
１０６…燃料ガス通路                １１０…噴射口
１１２、１４６、１６６…孔部        １１４…吸引室
１１６…吐出通路
１２０、１４２、１５２、１６２、１７２、１８０、１９０…整流部材
１２２…大径部                      １２４…小径部
１３０…仕切り壁部                  １３２…開口部
１４４、１５４、１６４…壁面
１５６…傾斜孔部                    １７４、１８２、１９２…円筒部
１７６…長孔                        １８４…丸孔
１９４…円錐部                      １９６…台形孔
【図１】
0005354941.tif 000002
【図２】
0005354941.tif 000003
【図３】
0005354941.tif 000004
【図４】
0005354941.tif 000005
【図５】
0005354941.tif 000006
【図６】
0005354941.tif 000007
【図７】
0005354941.tif 000008
【図８】
0005354941.tif 000009
【図９】
0005354941.tif 000010
【図１０】
0005354941.tif 000011
【図１１】
0005354941.tif 000012
【図１２】
0005354941.tif 000013
【図１３】
0005354941.tif 000014
【図１４】
0005354941.tif 000015
【図１５】
0005354941.tif 000016